(57)【要約】【課題】Ｖ字ねじれ現象に対して刷版加工装置側で対応可能な技術を提供する【解決手段】輪転機のカラー印刷部にて複数色のカラー画像を形成するための刷版を位置決めし、当該刷版に位置決め孔と係止片を加工する刷版加工方法において、前記カラー印刷部での基準色に対する他の色の相対的なねじれ量を予め求め、刷版１０を位置決めするときに、当該刷版上の任意の位置から選択される回転中心位置を中心として、前記ねじれ量を補正するための補正回転量だけ回転させて位置決めする。【選択図】図２
2018001731.tif 000002
【特許請求の範囲】
【請求項１】
輪転機のカラー印刷部にて複数色のカラー画像を形成するための刷版を位置決めし、当該刷版に位置決め孔と係止片を加工する刷版加工方法において、
前記カラー印刷部での基準色に対する他の色の相対的なねじれ量を予め求め、
刷版を位置決めするときに、当該刷版上の任意の位置から選択される回転中心位置を中心として、前記ねじれ量を補正するための補正回転量だけ回転させて位置決めすることを特徴とする刷版加工方法。
【請求項２】
前記回転中心位置を中心として前記補正回転量だけ回転させる動作は、刷版の前後左右方向の動作と刷版の回転方向の動作との組合せによる請求項１に記載の刷版加工方法。
【請求項３】
前記回転中心位置を刷版上のカラコンマークの位置とする請求項１又は２に記載の刷版加工方法。
【請求項４】
輪転機のカラー印刷部にて複数色のカラー画像を形成するための刷版を位置決めし、当該刷版に位置決め孔と係止片を加工する刷版加工装置であって、
刷版を保持し前後左右方向及び回転方向に移動させて位置決めする位置決め手段と、
前記位置決め手段を制御する制御手段とを備え、
前記制御手段は、刷版を位置決めするときに、当該刷版上の任意の位置から選択される回転中心位置を中心として、予め入力された前記カラー印刷部での基準色に対する他の色の相対的なねじれ量を補正するための補正回転量だけ回転させて位置決めするように前記位置決め手段を制御することを特徴とする刷版加工装置。
【請求項５】
前記回転中心位置を刷版上のカラコンマークの位置とする請求項４に記載の刷版加工装置。
【発明の詳細な説明】
【技術分野】
【０００１】
本発明は、輪転機のカラー印刷部にて複数色のカラー画像を形成するための刷版に、位置決め孔と係止片を加工する方法及び装置に関する。
【背景技術】
【０００２】
輪転機のカラー印刷部では、複数色（典型的にはＫ（ブラック）、Ｃ（シアン）、Ｍ（マゼンタ）及びＹ（イエロー）の４色）ごとの刷版を用いて重ね刷りをしてカラー印刷を行う。このとき、カラー印刷部において各色の刷版により印刷される絵柄の位置にずれがあると、得られる印刷物は色ずれしたものとなる。そこで従前より、刷版に加工形成する位置決め孔と係止片の加工精度向上や、刷版を版胴に装着するときの位置決め精度向上といった対策が講じられてきた。
【０００３】
しかし、これらの対策を講じても色ずれの問題は解消されていない。その原因の一つが非特許文献１で述べられている「Ｖ字ねじれ現象」の発生である。同文献によるとＶ字ねじれ現象とは、「４ハイタワー・ユニット中心の見当を合わせると、両端のレジスターマークは１段目（基準色Ｋ）に対して２段目〜４段目のＣＭＹが上方向（遅れ方向）に位置する」という現象であると説明されており、本発明者らも同様のＶ字ねじれ現象を確認している。
【０００４】
図４は、本発明者らが確認したＶ字ねじれ現象の概念図である。同図には、タワーユニット式のカラー印刷部、具体的には、１段目（基準色Ｋ）及び２段目（Ｃ）を１階に配置し、３段目（Ｍ）及び４段目（Ｙ）を２階に配置した４頁幅（２頁幅×２）のカラー印刷部で確認されたＶ字ねじれ現象のうち、２頁幅分を中段に示している。すなわち、基準色Ｋに対して同じ１階に配置したＣのねじれは小さいが、２階に配置したＭ及びＹについては約０．３０ｍｍのねじれが確認された。このねじれは、輪転機側の調整により下段に示すように２頁幅の中央が０になるように調整可能であるが、それでも約０．１５ｍｍのねじれが残ることになる。
【０００５】
このようなＶ字ねじれ現象に対して、非特許文献１では、ＣＴＰ（Computer To Plate）による見当調整方法が提案されている。
【０００６】
その第一の方法は、図５に示すように刷版１０内の各頁の画像（紙面）１１をずらして描く方法である。この方法では、１頁単位で刷版が回転しているような効果が得られ、これによりある程度のねじれの補正が可能となる。しかし、新聞などのように２頁の見開き面がある場合は２頁にまたがって画像がつながっているので、この第一の方法では対応できない。
【０００７】
次に第二の方法は、図６に示すように刷版加工用の基準マーク（トンボ）１２をずらして描く方法である。基準マーク１２は刷版加工装置で刷版に位置決め孔と係止片を加工形成するときの位置決めの基準となるので、この基準マーク１２をずらして描くことでねじれの補正が可能となる。しかし、刷版加工装置において刷版の位置決めの際に刷版を回転させるときの回転軸は必ずしも刷版の中心にはなく、刷版加工装置ごとに回転軸の位置は異なることから、ＣＴＰ側では刷版加工装置１台ごとに合せていわゆる「絵合せ」が必要となり、刷版加工装置側では、一度調整したら刷版の搬入位置などが変えられなくなり、装置据付後の微調整などにも制限がかかることになる。
【０００８】
このようにＶ字ねじれ現象に対してＣＴＰによる対応には、上述のような諸問題があり十分な効果が得られていないのが現状である。
【先行技術文献】
【非特許文献】
【０００９】
【非特許文献１】新聞技術２０１０III（Ｎｏ．２１３），ｐ．３５〜ｐ．３７
【発明の概要】
【発明が解決しようとする課題】
【００１０】
本発明が解決しようとする課題は、Ｖ字ねじれ現象に対して刷版加工装置側で対応可能な技術を提供することにある。
【課題を解決するための手段】
【００１１】
本発明の一観点によれば、次の刷版加工方法が提供される。
「輪転機のカラー印刷部にて複数色のカラー画像を形成するための刷版を位置決めし、当該刷版に位置決め孔と係止片を加工する刷版加工方法において、
前記カラー印刷部での基準色に対する他の色の相対的なねじれ量を予め求め、
刷版を位置決めするときに、当該刷版上の任意の位置から選択される回転中心位置を中心として、前記ねじれ量を補正するための補正回転量だけ回転させて位置決めすることを特徴とする刷版加工方法。」
【００１２】
また、本発明の他の観点によれば、次の刷版加工装置が提供される。
「輪転機のカラー印刷部にて複数色のカラー画像を形成するための刷版を位置決めし、当該刷版に位置決め孔と係止片を加工する刷版加工装置であって、
刷版を保持し前後左右方向及び回転方向に移動させて位置決めする位置決め手段と、
前記位置決め手段を制御する制御手段とを備え、
前記制御手段は、刷版を位置決めするときに、当該刷版上の任意の位置から選択される回転中心位置を中心として、予め入力された前記カラー印刷部での基準色に対する他の色の相対的なねじれ量を補正するための補正回転量だけ回転させて位置決めするように前記位置決め手段を制御することを特徴とする刷版加工装置。」
【発明の効果】
【００１３】
本発明によれば、Ｖ字ねじれ現象に対して刷版加工装置側で対応し、ねじれを刷版単位で補正することができる。しかも、ねじれを補正するための刷版の回転は当該刷版上の任意の位置から選択される回転中心位置を中心として行われ、その回転量も予め求めておいたねじれ量に対応する任意の回転量であるため、刷版の大きさや画像の内容（見開き等）にかかわらず、また、いかなる刷版加工装置よっても同様にねじれを補正することができる。
【図面の簡単な説明】
【００１４】
【図１】本発明の一実施例による刷版加工装置の構成を概念的に示す平面図である。
【図２】本発明の一実施例による刷版加工方法の手順（後述する手順３−１）を概念的に示す平面図である。
【図３】本発明の一実施例による刷版加工方法の手順（後述する手順３−２）を概念的に示す平面図である。
【図４】Ｖ字ねじれ現象を概念的に示す説明図である。
【図５】Ｖ字ねじれ現象に対する従来の対応方法（前述の第一の方法）を概念的に示す平面図である。
【図６】Ｖ字ねじれ現象に対する従来の対応方法（前述の第二の方法）を概念的に示す平面図である。
【発明を実施するための形態】
【００１５】
以下、図面に示す実施例に基づき本発明の実施の形態を説明する。
【００１６】
図１は、本発明の一実施例による刷版加工装置の構成を概念的に示す平面図である。同図に示す刷版加工装置は、搬送手段２０、位置決め手段３０、地側及び天側のそれぞれに撮影手段４０Ａ，４０Ｂ、パンチユニット５０Ａ，５０Ｂ、曲げユニット６０Ａ，６０Ｂ、並びに制御手段７０を備える。
【００１７】
搬送手段２０は、例えば搬送ベルトからなり、刷版を図１において上から下に向けて搬入し、その後搬出する。
位置決め手段３０は、例えばバキューム付テーブルからなり、搬送手段２０により搬入された刷版を保持し、その刷版を前後左右方向（ｘｙ方向）及び回転方向（θ方向）に移動させて位置決めする。すなわち、位置決め手段３０は、刷版をバキューム力等により保持する機能と、保持した刷版を前後左右方向（ｘｙ方向）及び回転方向（θ方向）に自在に移動させる機能を有する。
撮影手段４０Ａ，４０Ｂは、例えばＣＣＤカメラからなり、刷版上の基準マーク１２（図４参照）を認識する機能を有する。
パンチユニット５０Ａ，５０Ｂは、位置決めされた刷版に位置決め孔を加工形成する。また、曲げユニット６０Ａ，６０Ｂは、位置決めされた刷版に係止片を加工形成する。
制御手段７０は、以上の搬送手段２０、位置決め手段３０、撮影手段４０Ａ，４０Ｂ、パンチユニット５０Ａ，５０Ｂ及び曲げユニット６０Ａ，６０Ｂの各動作を制御する。
【００１８】
以上の基本構成において、各構成のより具体的な構成例と、刷版に位置決め孔と係止片を加工する基本的な手順については、例えば特開２００４−２５５０１号公報に開示されているように周知である。そこで以下では、本発明の特徴である、Ｖ字ねじれ現象によるねじれ量を補正する手順を中心に説明する。
【００１９】
（１）手順１（本発明の特徴）
予め、対象の刷版を使用する輪転機のカラー印刷部において、基準色（典型的にはＫ）に対する他の色（典型的にはＣ、Ｍ、Ｙ）の相対的なねじれ量を求めるとともに、そのねじれ量を補正するための回転量（補正回転量）を求め、その補正回転量を制御手段７０に入力する。補正回転量の具体例は、図４に破線で示した程度のねじれ量（０．１５ｍｍ）について本発明者らが計算したところ、０．００８°となった。この補正回転量は、使用する刷版加工装置の位置決め手段３０の回転軸の位置データ、刷版のカラコンマークの位置データ及びねじれ量のデータなどから計算可能で、その計算は制御手段７０によって実行可能である。
【００２０】
（２）手順２（従来技術）
従来技術に従い、撮影手段４０Ａ，４０Ｂにより認識した刷版の基準マークの位置情報に基づき、制御手段７０が位置決め手段３０を動作させて、刷版を水平にする。
【００２１】
（３）手順３（本発明の特徴）
本実施例では、刷版上のカラコンマークの位置を回転中心位置として、手順２で水平にした刷版を手順１で求めた補正回転量だけ回転させて位置決めするが、これは以下の手順３−１及び手順３−２の組合せにより実現可能である。
【００２２】
（手順３−１）
図２に誇張して示すように手順２で水平にした刷版１０を、位置決め手段３０の回転軸周りに手順１で求めた補正回転量だけ回転させる。ただし、この回転動作だけでは、図２に示すように回転前後でカラコンマーク１３の位置がずれるので、次の手順３−２を実行する。
【００２３】
（手順３−２）
図３に誇張して示すように、位置決め手段３０の前後左右方向（ｘｙ方向）の動作により刷版１０を平行移動（ｘｙ移動）させて、カラコンマーク１３の位置を手順３−１の回転動作前の位置に合せる。この手順３−２における刷版のｘｙ移動量と移動方向は、使用する刷版加工装置の位置決め手段３０の回転軸の位置データ、刷版のカラコンマークの位置データ及び補正回転量のデータなどから、制御手段７０が計算により決定する。
【００２４】
このように手順３−１及び手順３−２の組合せにより、刷版がカラコンマークの位置を回転中心位置として手順１で求めた補正回転量だけ回転することになる。ここで、本実施例では回転中心位置を刷版上のカラコンマークの位置としたが、手順３−１及び手順３−２の組合せによれば、カラコンマークの位置以外の刷版上の任意の位置を回転中心位置として、手順１で求めた補正回転量だけ回転させることができる。本実施例において回転中心位置をカラコンマークの位置とした理由は、カラコンマークは輪転機において様々な制御に利用されているので、この手順３によりカラコンマークの位置がずれないようにすることが好ましいと考えられるからである。無論、他の事情によりカラコンマークの位置以外の位置を回転中心位置としてもよい。
【００２５】
なお、上記では説明の便宜上、手順３−１と手順３−２を分けて示したが、実際は、制御手段７０が位置決め手段３０の前後左右方向（ｘｙ方向）の動作と回転方向（θ方向）の動作を同時に制御して、手順３−１と手順３−２を同時に実行することができる。また、図２及び図３では、回転及び平行移動の動作を分かりやすくするために各動作を誇張して示したが、実際はわずかな動作量であり、後述する位置決め孔及び係止片の加工に支障を来すことはない。
【００２６】
（４）手順４（従来技術）
従来技術に従い、パンチユニット５０Ａ，５０Ｂによって刷版の地側及び天側にそれぞれ位置決め孔を加工する。
【００２７】
（５）手順５（従来技術）
従来技術に従い、曲げユニット６０Ａ，６０Ｂによって刷版の地側及び天側にそれぞれ係止片を加工する。
【００２８】
以上のとおり本発明によれば、Ｖ字ねじれ現象に対して刷版加工装置側で対応し、ねじれを刷版単位で補正することができる。しかも、ねじれを補正するための刷版の回転は当該刷版上の任意の位置から選択される回転中心位置を中心として行われ、その回転量も予め求めておいたねじれ量に対応する任意の回転量であるため、刷版の大きさや画像の内容（見開き等）にかかわらず、また、いかなる刷版加工装置よっても同様にねじれを補正することができる。
【符号の説明】
【００２９】
１０  刷版
１１  刷版内の各頁の画像（紙面）
１２  基準マーク（トンボ）
１３  カラコンマーク
２０  搬送手段
３０  位置決め手段
４０Ａ，４０Ｂ  撮影手段
５０Ａ，５０Ｂ  パンチユニット
６０Ａ，６０Ｂ  曲げユニット
７０  制御手段
【図１】
2018001731.tif 000003
【図２】
2018001731.tif 000004
【図３】
2018001731.tif 000005
【図４】
2018001731.tif 000006
【図５】
2018001731.tif 000007
【図６】
2018001731.tif 000008